(57)【要約】【課題】ネジ溝のピッチの変化に対応することのできる光ピックアップ送り機構を提供する。【解決手段】  光ピックアップ支持部材２に固定された送り部材５と、光ピックアップ支持部材２の移動方向に延在しその外周面に螺刻されたネジ溝１２のピッチが連続的に変化するリードスクリュー６と、ネジ溝１２に噛合する噛合部７ｃを有しかつ送り部材５にコイルバネ１１を介して回動自在に連結される送り歯７と、を備えることを特徴とする。【選択図】図１
2006228381.tif 000002
【特許請求の範囲】
【請求項１】
被移動物に固定された送り部材と、
前記送り部材の移動方向に延在し、その外周面に螺刻されたネジ溝のピッチが変化するリードスクリューと、
前記ネジ溝に噛合する噛合部を有し、前記送り部材に回動自在に連結される送り歯と、
を備えることを特徴とする送り機構。
【請求項２】
前記送り部材には前記送り歯が挿通される連結孔が形成されており、
前記送り歯はコイルバネを介して前記連結孔に挿通されており、
前記コイルバネは前記連結孔から突出する方向に伸縮自在であることを特徴とする請求項１に記載の送り機構。
【発明の詳細な説明】
【技術分野】
【０００１】
本発明は、送り機構に関する。
【背景技術】
【０００２】
従来より、ネジ機構において、雄ネジ部の回転に伴う雌ネジ部との螺合部の移動を利用した送り機構が種々知られている。その一例として、円盤状の記録媒体であるディスクに対して情報の記録再生を行うためのディスクドライブ装置において用いられている光ピックアップ送り機構がある。このようなディスクドライブ装置には、ディスクを搭載するための回転自在なターンテーブルと、ディスクに記録された情報の読取やディスクへの情報記録などを行う光ピックアップと、光ピックアップがターンテーブルに搭載されたディスクに対向するように支持する光ピックアップ支持部材と、などが備えられている。
【０００３】
光ピックアップ支持部材には、ディスクの半径方向に所定範囲移動させる光ピックアップ送り機構が備えられている。光ピックアップ送り機構には、光ピックアップ支持部材にその一端が固定された送り用部材と、光ピックアップ支持部材の移動方向に延在する棒状のリードスクリューと、が備えられている。リードスクリューの外周面には前記凸部に係合するらせん状のネジ溝が形成されており、かつ送り部材の他端には当該ネジ溝に螺合する凸部が形成されている。従って、リードスクリューを回転させることにより、凸部とネジ溝との螺合部がリードスクリューに沿って移動して、それに伴って送り用部材及び光ピックアップ支持部材も移動する。そして、光ピックアップ支持部材とともに光ピックアップも移動して、ディスクに対向するようになっている。
【０００４】
ここで、特許文献１に記載の光ピックアップ送り機構においては、リードスクリューに複数条のネジ溝が形成されている。前記リードスクリューのネジ溝には送り用部材が押圧されており、リードスクリューの回転に伴って送り用部材は複数条のネジ溝に順次押圧されるようになっている。このような構成にすることにより、リードスクリューの一回転あたりの光ピックアップ送り量を大きくすることができ、かつ送り部材がリードスクリューのネジ溝から外れることを防止して光ピックアップ送り動作を安定させることができるようになっている。
【０００５】
一方、特許文献２及び特許文献３には、軸状の雄ネジ部材においてその外周面に形成されたネジ溝のピッチを連続的に変化させるネジ機構が記載されている。このようなネジ機構においては、ネジ溝のピッチの変化に伴って、ネジ溝の傾斜度が変化してしまうという問題がある。そのため、ネジ溝に螺合する螺合部材としてのナットには、ネジ溝に螺合するとともに回転自在なボールなどの回転部材を有することとしている。このようなナットを用いることにより雄ねじ部材のネジ溝のピッチの変化に対応することができる。
【特許文献１】特開２０００−９０６００号公報
【特許文献２】特開２００３−２３５４１１号公報
【特許文献３】特許２７１１６１１号公報
【発明の開示】
【発明が解決しようとする課題】
【０００６】
しかしながら、特許文献２及び特許文献３に記載のネジ機構においては、ナットに回転部材を回転自在に備える必要があるため、ナットの構造が複雑になるうえに高い精度が必要とされるという問題があった。
【０００７】
本発明はこのような点に鑑みてなされたものであり、ネジ溝のピッチの変化に対応することのできる光ピックアップ送り機構を提供することを目的とするものである。
【課題を解決するための手段】
【０００８】
前記課題を解決するために、請求項１に記載の発明は、送り機構において、
被移動物に固定された送り部材と、
前記送り部材の移動方向に延在し、その外周面に螺刻されたネジ溝のピッチが変化するリードスクリューと、
前記ネジ溝に噛合する噛合部を有し、前記送り部材に回動自在に連結される送り歯と、
を備えることを特徴とする。
【０００９】
請求項２に記載の発明は、請求項１に記載の送り機構において、
前記送り部材には前記送り歯が挿通される連結孔が形成されており、
前記送り歯はコイルバネを介して前記連結孔に挿通されており、
前記コイルバネは前記連結孔から突出する方向に伸縮自在であることを特徴とする。
【発明の効果】
【００１０】
本発明によれば、送り歯は送り部材に回動自在に連結されるので、ネジ溝に噛合する噛合部を回動自在とし、ネジ溝の傾斜度の変化に対応させることが可能である。
また、送り歯はコイルバネを介して送り部材に挿通されているので、リードスクリューに常に押圧され、リードスクリューのネジ溝から送り歯が外れることを防止することができる。従って、リードスクリューのピッチが変化しても、送り歯は常にリードスクリューに噛合しながら移動することができ、リードスクリューの一回転に伴う送り部材の移動量を変化させることができる。そのため、ピッチが変化するリードスクリューに対応しながら送り精度を向上させることができ、送り速度が変化自在な光ピックアップ送り機構とすることができる。
【発明を実施するための最良の形態】
【００１１】
以下に、本発明に係る送り機構の一実施形態として、光ピックアップ送り機構について図面を参照して説明する。ただし、発明の範囲を図示例に限定するものではない。
【００１２】
図１に示すのは本実施形態における光ピックアップ装置１の正面図である。光ピックアップ装置１には、図示しない光ピックアップを支持する被移動物としての光ピックアップ支持部材２が備えられている。光ピックアップ支持部材２の左右の縁部には、前後方向に延在するガイド軸３，３がそれぞれ貫通されている。そして、光ピックアップ支持部材２は、後述する光ピックアップ送り機構４により、ガイド軸３に沿って移動自在となっている。また、図示省略するが、光ピックアップ装置１の前方にはディスクを搭載するターンテーブルなどが備えられている。
【００１３】
光ピックアップ送り機構４は、光ピックアップ支持部材２の一側部に固定される送り部材５と、前後方向に延在する軸状のリードスクリュー６と、リードスクリュー６と送り部材５とを連結する送り歯７と、からなる。ここで、図２は光ピックアップ送り機構４の斜視図であり、図３はその分解斜視図である。図４は光ピックアップ送り機構４の平面図であり、図５はその側面図であり、図６は図４に示すI−I線における断面図である。また、図面上、光ピックアップ支持部材２の延在する平面上において前後方向と直交する方向を左右方向とし、光ピックアップ支持部材２と直交する方向を上下方向とする。
以下、各構成について説明する。
【００１４】
送り部材５の一端部には、光ピックアップ支持部材２に固定するための固定穴８が形成されている。また、送り部材５の下面には、前後方向に延在し、送り部材５がガイド軸３に接触しないようにするための切欠き５ａが形成されている（図６参照）。さらに、送り部材５の他端には、平板状の外れ防止片９が送り部材５から突出するように備えられている。外れ防止片９の上面には、リードスクリュー６を受け入れる凹部９ａが形成されている。
【００１５】
図４に示すように、送り部材５には、切欠き５ａから端面にかけて貫通する連結孔１０が形成されている。連結孔１０は、切欠き５ａに開口する第一連結孔１０ａと、第一連結孔１０ａより大径とされかつ送り部材５の端面に開口する第二連結孔１０ｂと、から構成されている。第二連結孔１０ｂの内部には、弾性素材からなるコイルバネ１１が挿通されており、このコイルバネ１１は、送り部材５から突出する方向に付勢されている。
【００１６】
連結孔１０及びコイルバネ１１の内側には、送り歯７が端面から切欠き５ａに向けて挿通されている。送り歯７には、連結孔１０の左右方向における長さ寸法よりも長くなるように形成されるとともに、第一連結孔１０ａよりも小径とされた軸部７ａが備えられている。
【００１７】
軸部７ａの先端部一側には、平面視略扇形の係止爪７ｂが設けられている。係止爪７ｂは、図示しないバネなどにより常に外方に突出する方向に付勢されており、係止爪７ｂに軸部７ａの半径方向内側に向かう力が加わった場合に、このバネの付勢力に抗して係止爪７ｂが内側に収容されるようになっている。従って、係止爪７ｂは、送り歯７を連結孔１０に挿通させる際には軸部７ａの半径方向内側に押圧されて収容され、軸部７ａの挿通動作を妨げることがなく、連結孔１０を貫通すると軸部７ａの半径方向外側に向けて再び突出し連結孔１０に係止して軸部７ａの抜け落ちを防止することができるようになっている。この状態で、軸部７ａが第一連結孔１０ａよりも小径とされているので、送り歯７は連結孔１０に挿通された状態で回転自在となっている。
【００１８】
軸部７ａの他端には、軸部７ａの直径方向に延在する噛合部７ｃが形成されている。図５に示すように、噛合部７ｃの長さ寸法は、第二連結孔１０ｂの直径よりも大きく形成されている。従って、送り歯７は連結孔１０に挿通されると、係止爪７ｂと噛合部７ｃとで送り部材５に係止されるようになっている。また、送り歯７にはコイルバネ１１による付勢力が常に付与されており、送り部材５から突出する方向に自由度Ａを持つようになっている（図４参照）。
【００１９】
図１に示すように、リードスクリュー６の外周面には、噛合部７ｃが噛合する一条のネジ溝１２が前後方向に沿って形成されている。ここで、ネジ溝１２は、後方における一部のピッチが前方におけるピッチより短くなるように形成されている。そして、送り歯７の噛合部７ｃは、リードスクリュー６のネジ溝１２に噛合されるようになっている。ネジ溝１２の傾斜度は前方又は後方によって変化するが、ネジ溝１２に噛合する噛合部７ｃの備えられている送り歯７は連結孔１０に挿通されたまま回転自在とされているので、噛合部７ｃはネジ溝１２の傾斜度に応じてリードスクリュー６に対する角度が変化するようになっている。つまり、図５に示すように、噛合部７ｃは軸部７ａの中心を回動中心として回動自在であり、自由度Ｂを持つようになっている。また、噛合部７ｃは、常にコイルバネ１１から付勢力を付与されており、リードスクリュー６のネジ溝１２に押圧されるようになっている。
【００２０】
また、リードスクリュー６には図示しないモータ等からなる回転駆動部が接続されており、回転駆動部に入力された駆動信号に基づいてリードスクリュー６が回転駆動されるようになっている。
【００２１】
次に、本実施形態における光ピックアップ送り機構４の作用について説明する。
【００２２】
まず、駆動信号が回転駆動部に入力されると、回転駆動部はモータ等を駆動させてリードスクリュー６を回転させる。リードスクリュー６が回転されると、そのネジ溝１２に押圧されている噛合部７ｃはネジ溝１２に沿って移動する。噛合部７ｃが移動すると、それに伴って送り部材５もリードスクリュー６の延在する方向に移動する。そして、送り部材５は光ピックアップ支持部材２に固定されているので、光ピックアップ支持部材２も追従して移動する。
【００２３】
ここで、光ピックアップ支持部材２の移動に伴って、リードスクリュー６のネジ溝１２のピッチが変化してその傾斜度が変化するが、噛合部７ｃは自由度Ｂを持つのでその変化に対応することができる。従って、ピッチの変化に関わらず噛合部７ｃがリードスクリュー６に噛合したまま送り部材５は移動し、かつリードスクリュー６の回転に伴う移動量は変化する。
【００２４】
本実施形態においては、リードスクリュー６のピッチは前方に向かうほど大きくなるので、リードスクリュー６の一回転に伴う送り部材５の移動量は前方に向かうほど大きくなる。従って、光ピックアップ支持部材２が前方に向かうほど、リードスクリュー６の一回転に伴う移動量が大きくなる。一方、光ピックアップ支持部材２は後方に向かうほど移動精度が向上し、かつリードスクリュー６の回転に伴う抵抗力が低減する。
【００２５】
このようにして、光ピックアップ支持部材２はターンテーブルに保持されているディスクに対向するまで移動される。その後、光ピックアップ支持部材２に支持されている光ピックアップは、ディスクに記録された情報の読取やディスクへの情報記録などを行う。
【００２６】
以上より、本実施形態における光ピックアップ送り機構４によれば、送り歯７はコイルバネ１１の付勢力によりリードスクリュー６のネジ溝１２に常に押圧されるとともに自由度Ａを備えるようになっている。従って、磨耗により送り歯７がネジ溝１２から外れる事を防止することができ、送り精度を向上させることができる。また、送り歯７は自由度Ｂを持つので、ネジ溝１２の傾斜度の変化に伴ってその角度を変化させることができる。従って、一つのリードスクリュー６においてピッチが変化するネジ溝１２を用いても送り歯７の自由度Ａ又は自由度Ｂで対処でき、送り速度が途中で変化する光ピックアップ送り機構４とすることができる。
【００２７】
また、リードスクリュー６の一回転に伴う光ピックアップ支持部材２の移動量を変化させることができるので、高速移動が必要な領域では大きいピッチに、送り精度が必要な領域や移動に伴う抵抗力が大きい領域では小さいピッチに、ネジ溝１２を羅刻して調整することが可能である。
【００２８】
なお、本発明に係る送り機構を光ピックアップ送り機構４として説明したが、本発明に係る送り機構は光ピックアップ用に限られず、様々な用途に適用可能である。その一例として、ディスクトレイの挿入排出を行う送り機構又はエレベーターの送り機構に用いることにより、ディスクトレイ又はエレベーターの目的位置到着の際に速度を減少させつつ停止させることなどが可能である。
【図面の簡単な説明】
【００２９】
【図１】本実施形態における光ピックアップ装置の正面図である。
【図２】本実施形態における光ピックアップ送り機構の斜視図である。
【図３】本実施形態における光ピックアップ送り機構の分解斜視図である。
【図４】本実施形態における光ピックアップ送り機構の正面図である。
【図５】本実施形態における光ピックアップ送り機構の側面図である。
【図６】図４に示す光ピックアップ送り機構のI−I線における断面図である。
【符号の説明】
【００３０】
１     光ピックアップ装置
２     光ピックアップ支持部材
４     光ピックアップ送り機構
５     送り部材
６     リードスクリュー
７     送り歯
７ａ   軸部
７ｂ   係止爪
７ｃ   噛合部
１０ａ 第一連結孔
１０ｂ 第二連結孔
１０   連結孔
１１   コイルバネ
１２   ネジ溝
【図１】
2006228381.tif 000003
【図２】
2006228381.tif 000004
【図３】
2006228381.tif 000005
【図４】
2006228381.tif 000006
【図５】
2006228381.tif 000007
【図６】
2006228381.tif 000008